(57)【要約】【課題】見栄えの悪化を防止するとともに、前可動ルーバを上側に振ったときの、風の指向性を改善することができる薄型レジスタを提供する。【解決手段】ベゼル２に設けた空気吹出口４は、通風路９の下流端部を上下に狭窄して細長形状に形成され、空気吹出口４の内側底部には凹部５が形成される。前可動ルーバ１０には、空気吹出口４の直ぐ内側に軸支された前フィン１１と該前フィン１１の下側で凹部５内に軸支された補助フィン１２とが設けられる。前フィン１１と補助フィン１２はリンク部材１８を介して連結される。補助フィン１２の上流側の両側端部が支軸１４を介して軸支される。補助フィン１２の下流側の先端部１７に傾斜面１６が設けられる。凹部５には上を覆う凹部カバー７が取り付けられる。補助フィン１２の先端部が突出すための開口が凹部カバー７の下流側端部に設けられる。【選択図】図４
2017043170.tif 000002
【特許請求の範囲】
【請求項１】
横方向に細長い形状の空気吹出口を有し、該空気吹出口の内側に前可動ルーバを上下に回動操作可能に設けた薄型レジスタにおいて、
該空気吹出口は、通風路の下流端部を上下に狭窄して細長形状に形成され、且つ該空気吹出口の内側底部には凹部が形成され、
該前可動ルーバには、該空気吹出口の直ぐ内側に軸支された前フィンと該前フィンの下側で該凹部内に軸支された補助フィンとが設けられ、
該前フィンと該補助フィンはリンク部材を介して連結され、該補助フィンの上流側の両側端部が支軸を介して軸支され、且つ該補助フィンの下流側の先端部に傾斜面が設けられ、
該凹部には上を覆う凹部カバーが取り付けられ、該補助フィンの先端部を突出すための開口が、該凹部カバーの下流側端部に、該補助フィンの長手方向に沿って設けられ、
該前可動ルーバを上側に回動操作したとき、該補助フィンが、該先端部を該凹部カバーの該開口から上方に突出させ、且つ該先端部の該傾斜面を、該前フィンの下側を流れる空気流に当てるように回動することを特徴とする薄型レジスタ。
【請求項２】
前記補助フィンの前記傾斜面に隣接して、凹溝が長手方向に沿って形成され、前記凹部カバーの下流側縁部は該補助フィンの回動に伴い該凹溝に進入可能に形成され、該前可動ルーバの回動操作時、該補助フィンが該先端部を流路に突出すように回動するとき、該凹部カバーの下流側縁部が該凹溝内に進入することを特徴とする請求項１記載の薄型レジスタ。
【請求項３】
前記前可動ルーバの上流側に後可動ルーバが配設され、前記凹部カバーの上流側には、該後可動ルーバの後フィンを軸支する軸受部を設けた軸受カバーが、前記凹部の上流側を覆って配設されたことを特徴とする請求項１記載の薄型レジスタ。
【請求項４】
前記補助フィンは前記開口の略全体を覆うフィン本体を有して形成され、該フィン本体の両側にレバー部を介して支軸が設けられたことを特徴とする請求項１記載の薄型レジスタ。
【請求項５】
前記補助フィンはフィン本体の前後にカバー部を突設して形成され、該フィン本体と該カバー部とにより前記開口を覆うことを特徴とする請求項１記載の薄型レジスタ。
【発明の詳細な説明】
【技術分野】
【０００１】
本発明は、自動車等の空調装置の空気吹出調整用に使用されるレジスタに関し、特に横に細長い空気吹出口を有した薄型レジスタに関する。
【背景技術】
【０００２】
自動車のインストルメントパネルなどに装着される空気吹出調整用のレジスタとして、従来、横に細長い空気吹出口を有した薄型レジスタが、下記特許文献１などで知られている。このレジスタは、リテーナの前部に嵌着されるベゼルの上下幅の形状を、前方に絞る形状とし、ベゼル正面に、横に細長い空気吹出口を設け、空気吹出口の直内側に、前可動ルーバを配設して構成される。前可動ルーバの中央には、中央横フィンが水平横方向に配置され、且つ中央横フィンの上方と下方に、各々上補助横フィンと下補助横フィが略平行に配置され、これらの横フィンをリンクバーで連結し、前可動ルーバを上または下に向けるように回動操作したとき、各横フィンは連動して同じ方向に向く構造である。
【先行技術文献】
【特許文献】
【０００３】
【特許文献１】特開２０１３−１１６６５０号公報
【発明の概要】
【発明が解決しようとする課題】
【０００４】
しかし、上記薄型レジスタは、前可動ルーバを、例えば上側に振った場合、中央横フィン、上補助横フィン、下補助横フィンともに斜め上側に回動するが、空気吹出口が上下に細く絞られた形状のため、送風方向が上側に向きにくく、送風の指向性が悪化しやすい課題があった。
【０００５】
また、薄型レジスタの正面形状が、その上部を上流側に後退させ、下部を下流側に突き出すように傾斜し、所謂スラント形状として形成され、且つレジスタが設置されるインストルメントパネルの形状は、レジスタの空気吹出口の下側前方で、前方に膨出するように湾曲する。このため、レジスタの下側前方の膨出湾曲部において、風の貼り付き現象が生じやすく、風の貼り付け現象が発生すると、前可動ルーバに沿って空気吹出口から送風される空気流が、下側に誘導され、上側への送風の指向性が悪化しやすい。
【０００６】
さらに、薄型レジスタの空気吹出口は、上下に細く絞られているものの、前可動ルーバをニュートラルにしたとき、或いは上側に振ったときには、レジスタの正面から空気吹出口内を覗き見しやすい状態となる。このため、横フィンの間から、凹状に窪んだリテーナ内の底部が容易に見え、見栄えが悪化しやすい課題があった。
【０００７】
本発明は、上述の課題を解決するものであり、見栄えの悪化を防止するとともに、前可動ルーバを上側に振ったときの、風の指向性を改善することができる薄型レジスタを提供することを目的とする。
【課題を解決するための手段】
【０００８】
本発明に係る薄型レジスタは、
横方向に細長い形状の空気吹出口を有し、該空気吹出口の内側に前可動ルーバを上下に回動操作可能に設けた薄型レジスタにおいて、
該空気吹出口は、通風路の下流端部を上下に狭窄して細長形状に形成され、且つ該空気吹出口の内側底部には凹部が形成され、
該前可動ルーバには、該空気吹出口の直ぐ内側に軸支された前フィンと該前フィンの下側で該凹部内に軸支された補助フィンとが設けられ、
該前フィンと該補助フィンはリンク部材を介して連結され、該補助フィンの上流側の両側端部が支軸を介して軸支され、且つ該補助フィンの下流側の先端部に傾斜面が設けられ、
該凹部には上を覆う凹部カバーが取り付けられ、該補助フィンの先端部を突出すための開口が、該凹部カバーの下流側端部に、該補助フィンの長手方向に沿って設けられ、
該前可動ルーバを上側に回動操作したとき、該補助フィンが、該先端部を該凹部カバーの該開口から上方に突出させ、且つ該先端部の該傾斜面を、該前フィンの下側を流れる空気流に当てるように回動することを特徴とする。
【０００９】
この発明によれば、レジスタの使用時、前可動ルーバをニュートラル状態としたとき、補助フィンは凹部カバーの内側に位置させ、より少ない圧力損失で、空気吹出口の正面方向に送風を行うことができる。前可動ルーバを上側に回動操作したときには、補助フィンの先端部が凹部カバーの開口から流路に突出し、先端部の傾斜面を空気流に当てその空気流を上方に曲げるように作用するため、斜め上前方に優れた指向性をもって送風することができる。
【００１０】
また、空気吹出口の内側底部の凹部を覆う凹部カバーが設けられるので、正面から空気吹出口内を覗き見した場合でも、凹状に窪んだ流路の底部が見えず、見栄えを向上させることができる。
【００１１】
またここで、上記薄型レジスタにおいて、上記補助フィンの上記傾斜面に隣接して、凹溝が長手方向に沿って形成され、上記凹部カバーの下流側縁部は該補助フィンの回動に伴い該凹溝に進入可能に形成され、該前可動ルーバの回動操作時、該補助フィンがその先端部を流路に突出すように回動するとき、該凹部カバーの下流側縁部が該凹溝内に進入するように構成することができる。これによれば、補助フィンの先端部が流路内に突出し或いは凹部内に戻される際、開口が補助フィンの先端部により良好に閉じられ、凹状に窪んだ流路の底部が見えず、一層見栄えを向上させることができる。
【００１２】
またここで、上記前可動ルーバの上流側に後可動ルーバが配設され、上記凹部カバーの上流側には、該後可動ルーバの後フィンを軸支する軸受部を設けた軸受カバーが、上記凹部の上流側を覆って配設される構成とすることができる。
【００１３】
またここで、上記補助フィンは上記開口の略全体を覆うフィン本体を有して形成され、該フィン本体の両側にレバー部を介して支軸を設けた構成とすることができる。
【００１４】
またここで、上記補助フィンはフィン本体の前後にカバー部を突設して形成され、フィン本体とカバー部とにより上記開口を覆うように構成することができる。
【発明の効果】
【００１５】
この発明の薄型レジスタによれば、見栄えの悪化を防止しつつ、前可動ルーバを上側に振ったときの、風の指向性を改善することができる。
【図面の簡単な説明】
【００１６】
【図１】本発明の一実施形態を示す薄型レジスタの正面図である。
【図２】同レジスタの左側面図である。
【図３】図１のIII-III断面図である。
【図４】図１のIV-IV断面図である。
【図５】同レジスタの斜視図である。
【図６】同レジスタのリテーナ、後可動ルーバ、前可動ルーバの分解斜視図である。
【図７】ベゼルと外側ベゼルの分解斜視図である。
【図８】前可動ルーバの正面側から見た斜視図である。
【図９】前可動ルーバの背面側から見た斜視図である。
【図１０】前可動ルーバの左側面図である。
【図１１】前可動ルーバの前フィンと補助フィンの斜視図である。
【図１２】前可動ルーバの前フィンと補助フィンの左側面図である。
【図１３】補助フィンの斜視図である。
【図１４】送風時に、前可動ルーバを上に振ったときの縦断面図である。
【図１５】他の実施形態を示す薄型レジスタの縦断面図である。
【図１６】他の実施形態の補助フィンを設けた薄型レジスタの縦断面図である。
【図１７】他の実施形態の補助フィンを設けた薄型レジスタの縦断面図である。
【図１８】他の実施形態の補助フィンを設けた薄型レジスタの縦断面図である。
【図１９】他の実施形態の補助フィンを設けた薄型レジスタの縦断面図である。
【発明を実施するための形態】
【００１７】
以下、本発明の一実施形態を図面に基づいて説明する。この薄型レジスタは、内部に通風路９を有したリテーナ１が上下に薄く偏平なダクト状に形成され、リテーナ１の正面に、細長いスリット状の空気吹出口４を形成したベゼル２が取り付けられ、空気吹出口４の内側に、前可動ルーバ１０を配設し、前可動ルーバ１０の上流側の通風路９内に、後可動ルーバ２０を配設して構成される。
【００１８】
前可動ルーバ１０は、図８などに示すように、１枚の前フィン１１とその下側に配置された１枚の補助フィン１２とを備え、前可動ルーバ１０の上流側の後可動ルーバ２０には、前可動ルーバ１０と直交方向（縦方向）に、複数の後フィン２１が並設される。
【００１９】
薄型レジスタの前部は、図２等に示す如く、スラント状に形成され、その前面が、上部を上流側に後退させ下部を下流側に突き出すように、大きく傾斜して形成される。このため、リテーナ１及びベゼル２の前部は、図６、７に示す如く、その上部を上流側に後退させ下部を下流側に突き出すように傾斜して形成され、さらに、ベゼル２の前部には外ベゼル３がベゼル２の前部を覆うように、傾斜して取り付けられる。
【００２０】
また、リテーナ１の前部に嵌着されるベゼル２は、図３，４に示す如く、その内部の断面積が、リテーナ１内の通風路９の断面積より大幅に拡大する形状として形成され、リテーナ１の突出した前下部には、図４、６に示すように、通風路９の底面から一段下がった位置に、凹部５が形成される。この凹部５内には、後可動ルーバ２０の下軸受部２４を有した軸受カバー６がその上を覆うように取り付けられる。さらに、軸受カバー６の下流側の凹部５内に、前可動ルーバ１０の補助フィン１２が配設され、凹部カバー７がその補助フィン１２を覆うように配設される。前可動ルーバ１０の前フィン１１と補助フィン１２とはリンク部材１８を介してリンクされ、前可動ルーバ１０の上下回動操作と連動して回動し、上側への回動時、凹部カバー７の下流側の開口５ａから、補助フィン１２の先端部１７が突出する構造である。
【００２１】
また、レジスタ正面のベゼル２及び外ベゼル３に開口形成される空気吹出口４は、図２〜図５に示すように、その短手方向の垂直面に対し約６０度の角度で、その上部を後方に後退させるように傾斜して形成される。さらに、図４に示すように、空気吹出口４は、ベゼル２の元部及びリテーナ１内の横断面形状を先端側で、上下に狭窄するように、細長くスリット状に形成される。このため、空気吹出口４の内側下部には、凹部５が形成されており、その上を覆って軸受カバー６と凹部カバー７が取り付けられる。
【００２２】
図４に示すように、軸受カバー６の上流側部分には、後可動ルーバ２０の各後フィン２１の下側の支軸２２を軸支するための下軸受部２４が設けられる。また、凹部カバー７の上流側部位には、斜めに立ち上がる傾斜面７ａが設けられ、前可動ルーバ１０の前フィン１１の下側を通過する空気流をその傾斜面７ａに当て、上側に曲げるように作用する。
【００２３】
前可動ルーバ１０は、ベゼル２の空気吹出口４の直ぐ内側に、風向を上下に変えるように配設される。図３に示す如く、ベゼル２の左右側壁に、前可動ルーバ１０の両側に設けた軸受部１９が嵌着される。両側の軸受部１９は、図８，９に示すように、前可動ルーバ１０の前フィン１１と補助フィン１２を軸支するように構成される。前可動ルーバ１０の前フィン１１の両側端部には支軸１１ａが突設され、補助フィン１２の両側端部には支軸１４が突設される。突設された支軸１１ａと支軸１４は、左右の軸受部１９の上部と下部に回動可能に軸支される。さらに、前フィン１１の一方の端部には、ガイドピン１１ｂが支軸１１ａを平行に突設される。ガイドピン１１ｂは、軸受部１９に設けた長孔に嵌合し、前フィン１１の回動時の回動角度範囲を、所定の角度範囲内に制限する。
【００２４】
さらに、図８に示す如く、前フィン１１と補助フィン１２の一方の端部には、支軸に対し偏移した位置に、連結軸が設けられ、前フィン１１と補助フィン１２の連結軸間にリンク部材１８がリンクされる。これにより、前可動ルーバ１０の上下の回動操作時、前フィン１１と補助フィン１２は、同じ向きに連動して回動するようになっている。具体的には、図４に示すように、前フィン１１を水平状態つまりニュートラル状態としたとき、補助フィン１２は凹部５内に収納された状態となり、図１４に示すように、前フィン１１を上側に振った（上に回動させた）とき、補助フィン１２は傾斜面１６を含む先端部１７を開口５ａから上の流路側に突出すように回動する。
【００２５】
補助フィン１２は、前フィン１１の下側に配設され、前フィン１１と同様に連動して回動し、上側への回動時にはその先端の傾斜面１６を上方に突出し（図１４）、ニュートラル時または下側への回動時には、図４の如くその先端部１７を開口５ａ内に引き戻すように動作する。
【００２６】
補助フィン１２は、図１３に示すように、そのフィン本体１３の末端部の両側に支軸１４を設け、フィン本体１３の先端部１７の上面に傾斜面１６を設け、さらに、先端部１７（傾斜面１６）に隣接して、フィン本体１３の上面側に凹溝１５を設けて構成される。凹溝１５は、凹部カバー７の先端部７ｂが進入可能な形状大きさに、フィン本体１３の長手方向に沿って形成される。
【００２７】
補助フィン１２の先端部１７は、図４に示すように、その収納位置で、凹部５の下流側を覆う凹部カバー７の先端部７ｂ側に生じた開口５ａ内に位置するように配設される。補助フィン１２が上側に回動した際には、図１４に示すように、補助フィン１２の先端部１７の傾斜面１６が上の流路に突き出し、凹溝１５には、凹部カバー７の先端部７ｂが進入するようになっている。
【００２８】
これにより、前可動ルーバ１０をニュートラル状態（真直ぐ正面方向に向けた図４の状態）としたとき、凹部５をカバーする凹部カバー７の開口５ａを覆い、前可動ルーバ１０を上側に振ったとき、補助フィン１２の先端部１７の傾斜面１６を上方に突出させる。また、補助フィン１２が収納されたニュートラル状態では、図４に示すように、凹部カバー７の先端部７ｂは、凹溝１５の入口付近に進入しており、開口５ａが露出しないようになっている。これにより、補助フィン１２が突出するための開口５ａは、前可動ルーバ１０のニュートラル状態においても閉じられ、空気吹出口４内を覗き見した場合でも、開口５ａから奥の凹部５内は見えず、見栄えの悪化は防止される。
【００２９】
上記のように、リテーナ１の前部には、ベゼル２が嵌着され、その嵌着箇所の内側上部には、図４に示す如く、後可動ルーバ２０の上軸受部２３が取り付けられる。後可動ルーバ２０は、前可動ルーバ１０の上流側に、前可動ルーバ１０と直交方向に、７枚の後フィン２１を配設して構成される。図６に示すように、後可動ルーバ２０の７枚の後フィン２１は、縦方向に配置され、左右に一定の間隔をおいて並設される。また、図４に示す如く、各後フィン２１の上側の支軸２２は、上軸受部２３に回動可能に支持される。各後フィン２１の下側の支軸２２は、軸受カバー６に設けた下軸受部２４に回動可能に支持される。さらに、各後フィン２１の下側の支軸２２にはレバーが軸と直角に設けられ、各レバーは１本のリンクバー２８により連結される。さらに、各後フィン２１は、操作ノブ８の左右方向に摺動操作に応じて、左右に連動して回動するようになっている。
【００３０】
このため、中央の後フィン２１の前部には、図３に示す如く、扇形歯部２１ａが形成され、その扇形歯部２１ａには、操作ノブ８の背面に設けたラック部８ａが噛合する。操作ノブ８は、前フィン１１に、左右の長手方向に摺動可能に外嵌され、使用者はこの操作ノブ８を持って前可動ルーバ１０を上下方向に回動操作し、操作ノブ８を前フィン１１上で左右にスライドさせることにより、後可動ルーバ２０の各後フィン２１の向きが左右方向に変わるようになっている。
【００３１】
上記構成の薄型レジスタを組み立てる場合、図６に示すように、先ず、後可動ルーバ２０の各後フィン２１の支軸２２を、上軸受部２３と下軸受部２４の軸受部に嵌め込み、リンクバー２８を各後フィン２１間にリンクさせ、連動して回動可能に軸支させ、後可動ルーバ２０のアッセンブリを組み立てる。
【００３２】
次に、この後可動ルーバアッセンブリの上軸受部２３と下軸受部２４を、リテーナ１の前部に形成された凹部５内に嵌め込んで、後可動ルーバアッセンブリを組み付ける。そして、前可動ルーバ１０を図８のように組み立て、前可動ルーバアッセンブリとした状態で、その両側の軸受部１９をリテーナ１の前部の両側壁部内側に嵌め込み、前可動ルーバ１０を組み付ける。そして、図７に示すベゼル２と外ベゼル３を、リテーナ１の前部に、前可動ルーバ１０を覆うように、相互に設けた係止部を係止させて嵌着し、薄型レジスタの組立を完了する。
【００３３】
次に、上記構成の薄型レジスタの動作を、図４、図１４等に基づき説明すると、この薄型レジスタは、例えば自動車の車内のインストルメントパネルやダッシュボードなどの上部近傍に、背面側の空気導入口を図示しない通風ダクトに接続して装着される。薄型レジスタの外ベゼル３及び空気吹出口４はインストルメントパネルやダッシュボードの前面に露出し、図４のニュートラル状態での送風方向は、例えば乗員の頸部近傍に向くように取り付けられる。
【００３４】
図４のニュートラル状態つまり前可動ルーバ１０を略水平にした状態で、送風を行うと、通風路９を通過して空気流は、前可動ルーバ１０の前フィン１１の上下を通り、ベゼル２の空気吹出口４から前方に送風される。このとき、図４に示す如く、空気吹出口４の内側が凹部カバー７の傾斜面７ａなどにより、上下に狭窄されて狭く形成されるため、空気流は上下に薄く圧縮された状態で、前方に指向性良く送風される。
【００３５】
このため、外ベゼル３の下部が前方に膨出し、その表面に沿って空気流が流れようとするコアンダ効果が生じやすい状態であっても、上下に狭窄された空気流を前方に指向性良く送風することができる。
【００３６】
またこのとき、先端部１７を含む補助フィン１２は凹部カバー７の内側で凹部５内に収納されているため、送風時の圧力損失は増大せず、効率良く送風することができる。さらに、補助フィン１２は凹部５内に収納され、その先端部１７が開口５ａを閉じた状態となるので、凹部５内は露出しない。このため、空気吹出口４の内側を覗き見したとしても、凹部カバー７の表面が見えるのみであり、見栄えを悪化させることはない。
【００３７】
一方、送風方向を上方に変える場合、操作ノブ８を持って上側に前可動ルーバ１０を回動させる。このとき、前フィン１１は、その支軸１１ａを軸に図１４に示すように上側に回動（傾動）し、同時に、補助フィン１２が上側に回動して、その先端部１７を開口５ａから上方に突出させる。このとき、先端部１７上の傾斜面１６が斜め上側を向き、前フィン１１の下側を流れる空気流を、前フィン１１の下面側に曲げるように作用する状態となる。つまり、前フィン１１の下側を流れる空気流は、流路に突出した補助フィン１２の先端部１７の傾斜面１６に当り、前フィン１１の下面側に曲げられる。
【００３８】
これにより、前フィン１１の下側を流れる空気流は、さらに上側に絞られる状態となり、図１４に示すように、空気吹出口４から前フィン１１の向く斜め上方に、良好な指向性をもって送風される。また、この状態でも、上記ニュートラル状態と同様に、凹部５内は露出せず、空気吹出口４の内側を覗き見したとしても、凹部カバー７や補助フィン１２の先端部１７の表面が見えるのみであり、見栄えを悪化させることはない。
【００３９】
送風方向を左右に振る場合、操作ノブ８を前フィン１１上で右方向に或いは左方向に摺動させる。このとき、操作ノブ８の横方向の移動が、ラック部８ａ及び扇形歯部２１ａを介して、後可動ルーバ２０を右方向または左方向に回動させ、後可動ルーバ２０の各後フィン２１が斜め右方向或いは斜め左方向を向き、送風方向が左右に変えられることとなる。
【００４０】
このように、送風時、前可動ルーバ１０をニュートラル状態としたとき、補助フィン１２は凹部カバー７の内側に位置し、より少ない圧力損失で、空気吹出口４の正面方向に送風を行うことができる。また、前可動ルーバ１０を上側に回動操作したとき、補助フィン１２の先端部１７が凹部カバー７の開口５ａから流路に突出し、先端部１７の傾斜面１６を空気流に当てその空気流を上方に曲げるように作用するため、斜め上前方に優れた指向性をもって送風することができる。さらに、空気吹出口４の内側底部の凹部５を覆う凹部カバー７が設けられるので、正面から空気吹出口４内を覗き見した場合でも、凹状に窪んだ流路の底部が見えず、見栄えを向上させることができる。
【００４１】
図１５〜図１９は、他の実施形態の補助フィンを用いた薄型レジスタを示している。上記実施形態と同じ部分については、図に上記と同じ符号を付して、その説明は省略する。
【００４２】
図１５に示す前可動ルーバ１０の補助フィン１２Ａは、その先端部１７Ａに傾斜面１６Ａが設けられ、凹溝はなく、先端部１７Ａの上流側にカバー部１５Ａが、凹部５の開口５ａを覆うように設けられる。また、このカバー部１５Ａは、補助フィン１２Ａの回動時、凹部カバー７Ａの先端部分を覆い且つ摺動するようになっている。さらに、補助フィン１２Ａの先端部１７Ａは、カバー状に形成され、カバー部１５Ａとともに凹部５の開口５ａを覆う形状となっている。
【００４３】
補助フィン１２Ａの元部の両側には、上記と同様、支軸１４Ａが設けられ、回動可能に軸支される。また、補助フィン１２Ａの一方の端部に連結軸が設けられ、上記と同様、その連結軸と前フィン１１とがリンク部材によりリンクされ、補助フィン１２Ａは前フィン１１と連動して回動する。
【００４４】
上記構成の補助フィン１２Ａを備えた前可動ルーバ１０は、図１５の実線で示すように、ニュートラル状態としたとき、補助フィン１２Ａは凹部５の開口５ａを覆い且つその先端部１７Ａを凹部５内に収納した状態となる。このため、凹部５内は露出せず、空気吹出口４の内側を覗き見したとしても、先端部１７Ａの表面が見えるのみであり、見栄えを悪化させることはない。送風時、通風路９を通して送られる空気流は、前フィン１１の上下空間を通り、上記と同様に、上下で適度に絞られた空気流が、正面方向に良好な指向性で送風される。
【００４５】
前可動ルーバ１０を上に振ると、図１５の仮想線で示すように、補助フィン１２Ａが前フィン１１と共に上側に回動し、その傾斜面１６Ａが開口５ａから上方の流路に突出し、前フィン１１の下面側に傾斜して向けられる。これにより、前フィン１１の下側を流れる空気流は傾斜面１６Ａに当たり上方つまり前フィン１１の下面側に曲げられる。
【００４６】
これにより、前フィン１１の下側を流れる空気流は、上側に良好に曲げられ、空気吹出口４からの送風は、前フィン１１の向く斜め上方に、良好な指向性をもって送風されることとなる。また、このときの凹部５の開口５ａは、補助フィン１２Ａの先端部１７Ａにより覆われて露出せず、空気吹出口４の内側を覗き見したとしても、先端部１７Ａの表面が見えるのみであり、見栄えを悪化させることはない。
【００４７】
図１６、図１７は、上記構成の補助フィンの変形態様を示している。図１６の補助フィン１２Ｂは、カバー部１５Ｂが凹部カバー７Ａの内側に位置するように構成され、このカバー部１５Ｂにより凹部５の開口５ａがカバーされる。また、図１７に示すように、補助フィン１２Ｃの先端部には、その先端部から一段下げた位置に先端カバー部１７Ｃが設けられる。この先端カバー部１７Ｃは、凹部５の開口５ａをカバーし、凹部５の底部を見えにくくして、見栄えの悪化を防止している。
【００４８】
図１８に示す前可動ルーバ１０の補助フィン１２Ｄは、フィン本体１３Ｄの両端部にレバー部１４Ｄを、斜め下方に向けて突設して構成され、レバー部１４Ｄの末端部に支軸１４Ａが設けられる。これにより、補助フィン１２Ｄは、両側のレバー部１４Ｄを介して支軸１４Ａ軸に、所定の角度範囲で回動する。補助フィン１２Ｄは、フィン本体１３Ｄ全体が、凹部５の開口５ａを覆うように形成され、フィン本体１３Ｄの下流側（前部）上には、傾斜面１６Ｄが設けられる。また、補助フィン１２Ｄの回動時、このフィン本体１３Ｄは、上記と同様、凹部カバー７Ｄの先端部分を覆い且つ摺動するようになっている。
【００４９】
また、補助フィン１２Ｄの一方のレバー部１４Ｄに連結軸が設けられ、その連結軸と前フィン１１とがリンク部材によりリンクされ、補助フィン１２Ｄは前フィン１１と連動して回動する。なお、フィン本体１３Ｄの下面には、ガイドピン１５Ｄが突設され、ガイドピン１５Ｄは前可動ルーバ１０の軸受部１９に設けたガイド溝に係合し、補助フィン１２Ｄの回動範囲を所定角度範囲に制限する。
【００５０】
上記構成の補助フィン１２Ｄを備えた前可動ルーバ１０は、図１８の実線で示すように、ニュートラル状態としたとき、補助フィン１２Ｄのフィン本体１３Ｄは凹部５の開口５ａを覆い且つその先端部の傾斜面１６Ｄを凹部５内に入れた状態となる。このため、凹部５内は露出せず、空気吹出口４の内側を覗き見したとしても、先端部の表面が見えるのみであり、見栄えを悪化させることはない。送風時、通風路９を通して送られる空気流は、前フィン１１の上下空間を通り、上記と同様に、上下で適度に絞られた空気流が、正面方向に良好な指向性で送風される。
【００５１】
前可動ルーバ１０を上に振ると、図１８の仮想線で示すように、補助フィン１２Ｄのフィン本体１３Ｄが上流側に回動し、先端部の傾斜面１６Ｄが開口５ａから上方の流路に突出し、前フィン１１の下面側に傾斜して向けられる。これにより、前フィン１１の下側を流れる空気流は傾斜面１６Ｄに当たり上方つまり前フィン１１の下面側に曲げられる。
【００５２】
これにより、前フィン１１の下側を流れる空気流は、上側に良好に曲げられ、空気吹出口４からの送風は、前フィン１１の向く斜め上方に、良好な指向性をもって送風される。また、このときの凹部５の開口５ａは、補助フィン１２Ｄのフィン本体１３Ｄにより覆われて露出せず、空気吹出口４の内側を覗き見したとしても、フィン本体１３Ｄの表面が見えるのみであり、見栄えを悪化させることはない。
【００５３】
なお、上記補助フィンは、図１９に示すように、傾斜面を設けず、平坦なフィン本体１３Ｅを有した補助フィン１２Ｅとすることもできる。この場合、前可動ルーバ１０を上に振ると、図１９の仮想線で示すように、補助フィン１２Ｅが上流側に回動し、そのフィン本体１３Ｅが傾斜し、その上面に傾斜面が生じる。このフィン本体１３Ｅの上面の傾斜面は、前フィン１１の下面側に傾斜して向けられる。これにより、前フィン１１の下側を流れる空気流はフィン本体１３Ｅ上面の傾斜面に当たり、上方つまり前フィン１１の下面側に曲げられる。
【００５４】
これにより、前フィン１１の下側を流れる空気流は、上記と同様、上側に良好に曲げられ、空気吹出口４からの送風は、前フィン１１の向く斜め上方に、良好な指向性をもって送風される。また、このときの凹部５の開口５ａは、補助フィン１２Ｅのフィン本体１３Ｅにより覆われて露出せず、空気吹出口４の内側を覗き見したとしても、フィン本体１３Ｅの表面が見えるのみであり、見栄えを悪化させることはない。
【符号の説明】
【００５５】
１      リテーナ
２      ベゼル
３      外ベゼル
４      空気吹出口
５      凹部
５ａ    開口
６      軸受カバー
７      凹部カバー
７Ａ    凹部カバー
７Ｄ    凹部カバー
７ａ    傾斜面
７ｂ    先端部
８      操作ノブ
８ａ    ラック部
９      通風路
１０    前可動ルーバ
１１    前フィン
１１ａ  支軸
１１ｂ  ガイドピン
１２    補助フィン
１２Ａ  補助フィン
１２Ｂ  補助フィン
１２Ｃ  補助フィン
１２Ｄ  補助フィン
１２Ｅ  補助フィン
１３    フィン本体
１３Ｄ  フィン本体
１３Ｅ  フィン本体
１４    支軸
１４Ａ  支軸
１４Ｄ  レバー部
１５    凹溝
１５Ａ  カバー部
１５Ｂ  カバー部
１５Ｄ  ガイドピン
１６    傾斜面
１６Ａ  傾斜面
１６Ｄ  傾斜面
１７    先端部
１７Ａ  先端部
１７Ｃ  先端カバー部
１８    リンク部材
１９    軸受部
２０    後可動ルーバ
２１    後フィン
２１ａ  扇形歯部
２２    支軸
２３    上軸受部
２４    下軸受部
２８    リンクバー
【図１】
2017043170.tif 000003
【図２】
2017043170.tif 000004
【図３】
2017043170.tif 000005
【図４】
2017043170.tif 000006
【図５】
2017043170.tif 000007
【図６】
2017043170.tif 000008
【図７】
2017043170.tif 000009
【図８】
2017043170.tif 000010
【図９】
2017043170.tif 000011
【図１０】
2017043170.tif 000012
【図１１】
2017043170.tif 000013
【図１２】
2017043170.tif 000014
【図１３】
2017043170.tif 000015
【図１４】
2017043170.tif 000016
【図１５】
2017043170.tif 000017
【図１６】
2017043170.tif 000018
【図１７】
2017043170.tif 000019
【図１８】
2017043170.tif 000020
【図１９】
2017043170.tif 000021